(57)【要約】【課題】横目地と縦目地とが交わる部位において好適に止水性能を確保することができる外壁目地の止水構造を提供する。【解決手段】建物の外壁部は複数の外壁パネルにより構成され、外壁パネルとしては、上下に隣接して設けられた外壁パネル２４Ｂ，２７と、各外壁パネル２４Ｂ，２７に横並びで隣接して設けられた外壁パネル２４Ａとがある。各外壁パネル２４Ｂ，２７の間には横目地４４が形成され、各外壁パネル２４Ｂ，２７と外壁パネル２４Ａとの間には横目地４４と交わる縦目地４１ａ，４５が形成されている。外壁パネル２７の下端部には、各外壁パネル２４Ｂ，２７に跨がって設けられた防水シート５１が固定されている。外壁パネル２４Ａには、一部が各外壁パネル２４Ｂ，２７側にはみ出た状態で、防水テープ５２が外壁材２５及び下地フレーム２６の間に挟まれて固定されている。防水テープ５２は、はみ出た部分が防水シート５１に貼り合わせられている。【選択図】      図３
2018053471.tif 000002
【特許請求の範囲】
【請求項１】
外壁材とその裏面側に設けられた下地フレームとを有する外壁パネルが複数並べられることで構成され、
前記外壁パネルとして、上下に隣接して設けられた２つの第１外壁パネルと、それら各第１外壁パネルのそれぞれに横並びで隣接して設けられた第２外壁パネルとを備え、
前記各第１外壁パネルの間には横目地が形成され、
前記各第１外壁パネルと前記第２外壁パネルとの間には前記横目地と交わる縦目地が形成されている建物外壁に適用され、
前記縦目地に沿って延び、当該縦目地に設けられた止水シールと、
前記横目地に沿って延び、前記各第１外壁パネルに跨がって設けられたシート状の防水手段とを備え、
前記防水手段は、その一部が前記各第１外壁パネルよりも前記第２外壁パネル側に延出し、その延出した部分が前記第２外壁パネルの前記外壁材及び前記下地フレームの間に挟まれて固定されていることを特徴とする外壁目地の止水構造。
【請求項２】
前記防水手段は、
前記横目地に沿って延び、前記各第１外壁パネルのうち、上側の第１外壁パネルの下端部に固定された第１防水シートと、
前記各第１外壁パネルの側に一部はみ出た状態で前記第２外壁パネルの前記外壁材及び前記下地フレームの間に挟まれて固定された第２防水シートと、を備え、
前記第２防水シートは、前記はみ出た部分が前記第１防水シートの端部に貼り合わせられていることを特徴とする請求項１に記載の外壁目地の止水構造。
【請求項３】
前記第１防水シートは、その上部が前記上側の第１外壁パネルの前記外壁材及び前記下地フレームの間に挟まれて固定されており、その下部が前記上側の第１外壁パネルよりも下方に垂れ下がって下側の前記第１外壁パネルの表面側に配置されており、
前記第２防水シートは、伸縮変形可能に形成されていることを特徴とする請求項２に記載の外壁目地の止水構造。
【請求項４】
前記縦目地には、前記止水シールとしての定形シールが設けられ、
前記定形シールは、その端部側に前記第２防水シートと壁厚み方向に重複する重複部位を有し、その重複部位により前記第２防水シートを屋外側から前記第２外壁パネルの前記外壁材よりも目地奥側に押し込んだ状態で取り付けられていることを特徴とする請求項３に記載の外壁目地の止水構造。
【請求項５】
前記定形シールは、前記下側の第１外壁パネルと前記第２外壁パネルとの間の前記縦目地に配設され、その上端側に前記重複部位を有しており、
その重複部位により前記第２防水シートが目地奥側に押し込まれることで、当該第２防水シートにおいて前記重複部位よりも上方部分に、当該重複部位を上方から覆う覆い部が形成されていることを特徴とする請求項４に記載の外壁目地の止水構造。
【請求項６】
互いに連結された複数の建物ユニットを備えてなるユニット式建物の建物外壁に適用され、
前記各建物ユニットには前記外壁パネルが固定され、
前記縦目地及び前記横目地のうち少なくともいずれかは、隣り合う前記建物ユニットの境界部に形成され、
前記第２防水シートは、伸縮変形可能に形成されていることを特徴とする請求項２乃至５のいずれか一項に記載の外壁目地の止水構造。
【発明の詳細な説明】
【技術分野】
【０００１】
本発明は、外壁目地の止水構造に関する。
【背景技術】
【０００２】
住宅等の建物では、複数の外壁パネルが上下左右に並べられることで外壁が構成されている場合がある。この種の外壁パネルは、外壁材と、その外壁材の裏面側に設けられた下地フレームとを有して構成されている。このような外壁では、左右に隣り合う外壁パネルの間に縦目地が形成され、上下に隣り合う外壁パネルの間に横目地が形成されている。これら縦目地及び横目地にはそれぞれ、目地を通じて雨水等の水が屋内側に入り込むのを阻止すべく、止水処理が施される（例えば特許文献１参照）。
【０００３】
止水処理としては、例えば縦目地には、ガスケットやシーリング材等の止水シールが設けられる。また、横目地には、当該目地に沿って延びる防水シートが設けられる。この場合、防水シートは横目地を挟んで上下に隣り合う各外壁パネルに跨がって設けられる。
【先行技術文献】
【特許文献】
【０００４】
【特許文献１】特開２０１０−２５５２６９号公報
【発明の概要】
【発明が解決しようとする課題】
【０００５】
ところで、建物外壁においては、上下に隣り合う各外壁パネルの横隣りにそれら両外壁パネル（以下、第１外壁パネルという）に跨がるようにして他の外壁パネル（以下、第２外壁パネルという）が設けられる場合が考えられる。この場合、各第１外壁パネルの間には横目地が形成され、各第１外壁パネルと第２外壁パネルとの間には縦目地が形成される。
【０００６】
このような目地構造では、横目地と各縦目地とが横向きのＴ字状をなすように設けられ、それら各目地が交わる目地交わり部を含めて目地の止水処理を行う必要がある。この場合の止水処理としては、止水シールとしてのシーリング材（不定形シール）を各縦目地に連続させて設ける（充填する）とともに、そのシーリング材を横目地を塞ぐ防水シートの端部に密着させて設けることが考えられる。
【０００７】
ここで、上記の止水処理では、シーリング材を目地交わり部において防水シート側にはみ出るようにして充填し、同シートの端部に密着させる作業が発生すると考えられる。しかしながら、シーリング材のはみ出し部分を防水シートの端部と密着させる構成では、両者の密着性を確保するのが難しく、止水性能を確保するのが困難であると考えられる。
【０００８】
また、止水性能を確保するために、シーリング材を防水シート側に大きくはみ出させて防水シートと広範囲に密着させることも考えられるが、そうすると、シーリング材の充填作業ひいては止水作業が大変になるおそれがある。
【０００９】
本発明は、上記事情に鑑みてなされたものであり、横目地と縦目地とが交わる部位において好適に止水性能を確保することができる外壁目地の止水構造を提供することを主たる目的とするものである。
【課題を解決するための手段】
【００１０】
上記課題を解決すべく、第１の発明の外壁目地の止水構造は、外壁材とその裏面側に設けられた下地フレームとを有する外壁パネルが複数並べられることで構成され、前記外壁パネルとして、上下に隣接して設けられた２つの第１外壁パネルと、それら各第１外壁パネルのそれぞれに横並びで隣接して設けられた第２外壁パネルとを備え、前記各第１外壁パネルの間には横目地が形成され、前記各第１外壁パネルと前記第２外壁パネルとの間には前記横目地と交わる縦目地が形成されている建物外壁に適用され、前記縦目地に沿って延び、当該縦目地に設けられた止水シールと、前記横目地に沿って延び、前記各第１外壁パネルに跨がって設けられたシート状の防水手段とを備え、前記防水手段は、その一部が前記各第１外壁パネルよりも前記第２外壁パネル側に延出し、その延出した部分が前記第２外壁パネルの前記外壁材及び前記下地フレームの間に挟まれて固定されていることを特徴とする。
【００１１】
本発明によれば、上下に隣り合う各第１外壁パネルに跨がって設けられたシート状の防水手段の一部が各第１外壁パネルよりも第２外壁パネル側に延出しており、その延出した部分が第２外壁パネルの外壁材及び下地フレームの間に挟まれて固定されている。この場合、横目地に加えて、その横目地と縦目地とが交わる目地交わり部が防水手段によりまとめて閉塞される。かかる構成では、縦目地に配設された止水シールの端部を防水手段に密着させることで目地交わり部における止水性能を確保することができる。この場合、各縦目地に連続させてシーリング材（ひいては止水シール）を設け、そのシーリング材を目地交わり部において防水シートの端部に密着させる上述の構成と比べて、止水シールと防水手段との密着性を確保し易い。また、密着性を確保し易いため、止水シールを防水手段に密着させる作業、ひいては止水作業を比較的容易に行うことができる。よって、この場合、横目地と縦目地とが交わる目地交わり部において好適に止水性能を確保することができる。
【００１２】
第２の発明の外壁目地の止水構造は、第１の発明において、前記防水手段は、前記横目地に沿って延び、前記各第１外壁パネルのうち、上側の第１外壁パネルの下端部に固定された第１防水シートと、前記各第１外壁パネルの側に一部はみ出た状態で前記第２外壁パネルの前記外壁材及び前記下地フレームの間に挟まれて固定された第２防水シートと、を備え、前記第２防水シートは、前記はみ出た部分が前記第１防水シートの端部に貼り合わせられていることを特徴とする。
【００１３】
一般に、この種の外壁パネルは、製造工場において予め製造されることが多い。そこで本発明では、この点に鑑み、防水手段を、上側の第１外壁パネルに固定された第１防水シートと、第２外壁パネルに固定された第２防水シートとの貼り合わせにより構成している。この場合、製造工場において予め第２外壁パネルにおける外壁材及び下地フレームの間に第２防水シートを挟んで固定しておき、施工現場では、その第２防水シートを第１防水シートに貼り付けることで防水手段を形成することができる。このため、防水手段が一のシート材からなる場合と異なり、現場で第２外壁パネルの外壁材及び下地フレームを一旦ばらしてこれら両者間に防水手段の端部を挟んで両者を再度組み立てるといった面倒な作業をせずに済む。これにより、止水作業を行う上で工数低減を図ることができる。
【００１４】
第３の発明の外壁目地の止水構造は、第２の発明において、前記第１防水シートは、その上部が前記上側の第１外壁パネルの前記外壁材及び前記下地フレームの間に挟まれて固定されており、その下部が前記上側の第１外壁パネルよりも下方に垂れ下がって下側の前記第１外壁パネルの表面側に配置されており、前記第２防水シートは、伸縮変形可能に形成されていることを特徴とする。
【００１５】
上下に隣り合う第１外壁パネル間の横目地を防水シート（第１防水シート）によって塞ぐ場合、同シートの上部を上側の第１外壁パネルの外壁材及び下地フレームの間に挟んで固定し、下部を下側の第１外壁パネルの表面側に配置することで、横目地の止水を図ることが考えられる。こうした構成では、第１防水シートが横目地部分で屋内側から屋外側に向けて下方傾斜するように垂れ下がって配置されると考えられる。そこで本発明では、この点に鑑み、第２防水シートを伸縮変形可能に形成している。この場合、上記下方傾斜する第１防水シートの傾斜に合わせて第２防水シートを変形させ同シートを第１防水シートに貼り合わることができる。このため、第１防水シートが横目地部分で傾斜して配置される構成でも、第２防水シートを第１防水シートに好適に密着させることができ、止水性能を好適に確保することができる。
【００１６】
第４の発明の外壁目地の止水構造は、第３の発明において、前記縦目地には、前記止水シールとしての定形シールが設けられ、前記定形シールは、その端部側に前記第２防水シートと壁厚み方向に重複する重複部位を有し、その重複部位により前記第２防水シートを屋外側から前記第２外壁パネルの前記外壁材よりも目地奥側に押し込んだ状態で取り付けられていることを特徴とする。
【００１７】
本発明によれば、縦目地に止水シールとして定形シールが設けられているため、不定形シール（シーリング材等）が設けられる場合と比べて、容易に止水処理を行うことができる。また、定形シールは、その端部側が第２防水シートと壁厚み方向に重複する重複部位となっており、その重複部位により第２防水シートを屋外側から目地奥側に押し込んだ状態で取り付けられている。この場合、第２防水シートの伸縮性を利用して定形シールと第２防水シートとを密着させることができる。これにより、定形シールを用いることで止水作業の容易化を図りながらも、好適に止水性能を確保することができる。
【００１８】
第５の発明の外壁目地の止水構造は、第４の発明において、前記定形シールは、前記下側の第１外壁パネルと前記第２外壁パネルとの間の前記縦目地に配設され、その上端側に前記重複部位を有しており、その重複部位により前記第２防水シートが目地奥側に押し込まれることで、当該第２防水シートにおいて前記重複部位よりも上方部分に、当該重複部位を上方から覆う覆い部が形成されていることを特徴とする。
【００１９】
本発明によれば、下側の第１外壁パネルと第２外壁パネルとの間の縦目地（下側の縦目地）に定形シールが配設され、その定形シールの上端側に第２防水シートとの重複部位が設けられている。そして、この重複部位により第２防水シートが目地奥側に押し込まれることで、同シートにおいて重複部位よりも上方部分に、当該重複部位（つまりは定形シール）を上方から覆う覆い部が形成されている。この場合、強風時等に雨水等の水が定形シールに沿って吹き上げてきた場合でも、その水の勢いを覆い部により低減させることができる。そのため、その水が上側の縦目地に配設された止水シールと第２防水シートとの間を通じて屋内側に入り込むといった事態が生じるのを好適に防止することができる。
【００２０】
第６の発明の外壁目地の止水構造は、第２乃至第５のいずれかの発明において、互いに連結された複数の建物ユニットを備えてなるユニット式建物の建物外壁に適用され、前記各建物ユニットには前記外壁パネルが固定され、前記縦目地及び前記横目地のうち少なくともいずれかは、隣り合う前記建物ユニットの境界部に形成され、前記第２防水シートは、伸縮変形可能に形成されていることを特徴とする。
【００２１】
ユニット式建物では、各建物ユニットの据え付け時等に隣り合う建物ユニットの間でその位置関係にばらつきが生じることが想定される。そのため、隣り合う建物ユニットの境界部に外壁パネル間の目地が形成されている場合には、それら外壁パネルの位置関係（例えば壁厚み方向の位置関係）にもばらつきが生じることが考えられる。その点、本発明では、第２防水シートが伸縮変形可能に形成されているため、外壁パネル間に位置ばらつきが生じている場合でも、第２防水シートを伸縮変形させながら第１防水シートに上手く貼り合わせることができる。そのため、両防水シートを好適に密着させることができ、止水性能を好適に確保することができる。
【図面の簡単な説明】
【００２２】
【図１】ユニット式建物の概要を示す斜視図。
【図２】ユニット式建物の概要を示す斜視図。
【図３】目地交わり部周辺における止水構造を示す斜視図。
【図４】止水構造を構成する各部材を分解して示す分解斜視図。
【図５】目地交わり部周辺を拡大した状態で示す正面図。
【図６】（ａ）が図５のＡ−Ａ線断面図であり、（ｂ）がＢ−Ｂ線断面図であり、（ｃ）がＣ−Ｃ線断面図である。
【図７】図５のＤ−Ｄ線断面図。
【図８】止水構造を構築する際の作業手順を説明するための説明図。
【図９】他の実施形態における建物の概要を示す斜視図。
【発明を実施するための形態】
【００２３】
以下に、本発明を具体化した一実施の形態について図面を参照しつつ説明する。本実施形態では、建物として、複数の建物ユニットが互いに組み合わされてなるユニット式建物を具体化している。図１は、そのユニット式建物の概要を示す斜視図である。
【００２４】
図１に示すように、建物１０は、一階部分１１及び二階部分１２を有する建物本体１３と、その建物本体１３の上方に設けられた屋根部１４とを備えている。建物本体１３は、複数の建物ユニット１５が互いに連結されることにより構成されている。建物ユニット１５は、梁及び柱を有して直方体状に形成された枠体（図示略）を有し、その枠体に外壁パネル２４（図２参照）等が取り付けられる等して構成されている。また、建物本体１３の二階部分１２には、屋外側に張り出すようにキャンチ式のバルコニー１６が設けられている。
【００２５】
屋根部１４は、片流れ屋根を構成する片流れ屋根部１７と、陸屋根を構成する陸屋根部１８とを有する。片流れ屋根部１７と陸屋根部１８とは、平面視にて、片流れ屋根部１７の屋根面１７ａが傾斜する方向に並んで配置され、その屋根面１７ａの傾斜方向の上側で陸屋根部１８が片流れ屋根部１７に隣接している。また、陸屋根部１８は、その周縁部に屋根面１８ａよりも上方に立ち上げられたパラペット１８ｂを有している。
【００２６】
建物１０の施工に際しては、建物ユニット１５がユニット工場（製造工場）においてあらかじめ製造され、その後施工現場にトラック等により搬送される。そして、施工現場において複数の建物ユニット１５が組み付けられるとともに、その上に屋根部１４が施工されることにより建物１０が構築される。
【００２７】
建物１０の外周部には外壁部２０が設けられている。以下、外壁部２０の構成について図２に基づいて説明する。図２は、ユニット式建物の概要を示す斜視図である。なお、図２では、外壁部２０を構成する外壁パネルの一部を建物１０から離間した状態で示している。
【００２８】
図２に示すように、外壁部２０は、建物本体１３の外周部に設けられた本体外壁部２１と、片流れ屋根部１７の外周部に設けられた屋根外壁部２２とを備える。本体外壁部２１は、複数の外壁パネル２４により構成されている。外壁パネル２４は、一階部分１１及び二階部分１２にそれぞれ設けられ、それら各階部分１１，１２において横並びで複数ずつ配置されている。外壁パネル２４は、外壁面（屋外面）を形成する外壁材２５と、その外壁材２５の裏面側に設けられた下地フレーム２６とを有している。外壁材２５は、窯業系サイディング等からなり、矩形板状に形成されている。また、下地フレーム２６は、鋼材よりなる複数のフレーム材が矩形枠状に連結されることで構成されている。
【００２９】
各外壁パネル２４は、建物ユニット１５の側面部に固定されている。外壁パネル２４は、その下地フレーム２６が建物ユニット１５の躯体の側面部に取り付けられることで固定されている。
【００３０】
二階部分１２には、上下寸法（高さ寸法）が互いに異なる２種類の外壁パネル２４（２４Ａ，２４Ｂ）が設けられている。この点について説明すると、二階部分１２に設けられた各建物ユニット１５には、陸屋根部１８の直下に配置された建物ユニット１５と、片流れ屋根部１７の直下に配置された建物ユニット１５とがある。この場合、陸屋根部１８直下の建物ユニット１５に固定された外壁パネル２４Ａと、片流れ屋根部１７直下の建物ユニット１５に固定された外壁パネル２４Ｂとで、その上下寸法を比較すると、外壁パネル２４Ａの上下寸法Ｌ１は外壁パネル２４Ｂの上下寸法をＬ２よりも大きくなっている（Ｌ１＞Ｌ２）。これら外壁パネル２４Ａ，２４Ｂは互いの下端部を同じ高さ位置にして配置されており、その配置状態において外壁パネル２４Ａは、その上端側が外壁パネル２４Ｂの上端部よりも上方に突出している。この場合、外壁パネル２４Ａの上記突出した部分により陸屋根部１８のパラペット１８ｂが構成されている。
【００３１】
屋根外壁部２２は、片流れ屋根部１７の三面に設けられた複数（３つ）の壁部２２ａ，２２ｂを有している。これらの壁部２２ａ，２２ｂのうち、互いに対向する２つの壁部２２ａが屋根面１７ａの傾斜に応じた三角形状をなしており、残りの壁部２２ｂが陸屋根部１８に面して配置されている。また、屋根外壁部２２では、隣接する各壁部２２ａ，２２ｂによって出隅部２２ｃが形成されている。
【００３２】
屋根外壁部２２は、複数の外壁パネル２７，２８により構成されている。これら外壁パネル２７，２８は横並びで配置されている。これら外壁パネル２７，２８には、屋根外壁部２２において出隅部２２ｃを構成する平面視Ｌ字状の外壁パネル２７と、出隅部２２ｃを構成しない平坦状（平板状）の外壁パネル２８とが含まれている。
【００３３】
外壁パネル２７は、互いに直交する２つのパネル部２７ａ，２７ｂを有している。これらパネル部２７ａ，２７ｂのうち、パネル部２７ａが壁部２２ａを構成し、パネル部２７ｂが壁部２２ｂを構成している。外壁パネル２７は、外壁面（屋外面）を形成する外壁材３１と、その外壁材３１の裏面側に設けられた下地フレーム３２とを有している。外壁材３１は、窯業系サイディング等からなり、平面視Ｌ字状に形成されている。下地フレーム３２は、鋼材よりなる複数のフレーム材が枠状に連結されてなる。
【００３４】
外壁パネル２８は、外壁面を形成する外壁材３３と、その外壁材３３の裏面側に設けられた下地フレーム３４とを有している。外壁材３３は、窯業系サイディング等からなり、下地フレーム３４は、鋼材よりなる複数のフレーム材が枠状に連結されてなる。
【００３５】
上述した各外壁パネル２４，２７，２８はいずれもユニット工場にて製造される。これら外壁パネル２４，２７，２８のうち、本体外壁部２１の外壁パネル２４はユニット工場にて予め建物ユニット１５に組み付けられ、屋根外壁部２２の外壁パネル２７，２８は現場施工にて組み付けられるようになっている。なお、片流れ屋根部１７を予めユニット工場にて屋根ユニットとして製造し、その屋根ユニットに各外壁パネル２７，２８をユニット工場にて予め組み付けるようにしてもよい。
【００３６】
本体外壁部２１においては、横並びで隣り合う外壁パネル２４の間に縦目地４１が形成され、上下に隣り合う外壁パネル２４の間に横目地４２が形成されている。また、屋根外壁部２２においては、横並びで隣り合う外壁パネル２７，２８の間に縦目地４３が形成されている。さらに、上下に隣り合う本体外壁部２１及び屋根外壁部２２の各外壁パネル２４，２７（２８）の間には横目地４４が形成されている。
【００３７】
本体外壁部２１には、上下寸法の異なる各外壁パネル２４Ａ，２４Ｂが横並びで隣り合う部分が存在し、それら各外壁パネル２４Ａ，２４Ｂの間に縦目地４１（以下、縦目地４１ａという）が形成されている。この縦目地４１ａは隣り合う建物ユニット１５の境界部に形成されている。縦目地４１ａを形成する各外壁パネル２４Ａ．２４Ｂのうち、外壁パネル２４Ｂの上方には、屋根外壁部２２（壁部２２ａ）の外壁パネル２７が配設されている。この場合、これら各外壁パネル２４Ｂ，２７は上下に隣接して配置されている。詳しくは、外壁パネル２４Ｂの上方には外壁パネル２７のパネル部２７ａが配設され、それらパネル部２７ａと外壁パネル２４Ｂとが上下に隣接配置されている。そして、パネル部２７ａと外壁パネル２４Ｂとの間に横目地４４が形成されている。
【００３８】
縦目地４１ａを形成する各外壁パネル２４Ａ，２４Ｂのうち、外壁パネル２４Ａは上述したように、外壁パネル２４Ｂよりも上方へ延びている。この場合、外壁パネル２４Ａにおいて外壁パネル２４Ｂよりも上方に突出した突出部分は外壁パネル２７詳しくはそのパネル部２７ａの横隣りに配置されている。したがって、外壁パネル２４Ａは、上下に隣接する各外壁パネル２４Ｂ，２７の横隣りに跨がって配置されている。なお、この場合、外壁パネル２４Ｂが「下側の第１外壁パネル」に相当し、外壁パネル２７が「上側の第１外壁パネル」に相当し、外壁パネル２４Ａが「第２外壁パネル」に相当する。
【００３９】
ちなみに、外壁パネル２７は、外壁パネル２４Ａの上端よりも上方に延びている。そのため、外壁パネル２７は、その高さ方向の一部（下部）においてのみ外壁パネル２４Ａと横並びで隣接している。したがって、外壁パネル２７は、外壁パネル２４Ａよりも上方の部分によって出隅部２２ｃを構成している。
【００４０】
横並びで隣接する外壁パネル２４Ａ（詳しくは、上記突出部分）と外壁パネル２７（パネル部２７ａ）との間には縦目地４５が形成されている。この縦目地４５は縦目地４１ａと上下一直線に連続している。これら各縦目地４１ａ，４５は、上下に隣接する外壁パネル２４Ｂ，２７間の横目地４４と連続している。この場合、これら３つの目地４１ａ，４４，４５は横向きのＴ字状をなすように設けられている。以下においては、これら各目地４１ａ，４４，４５がＴ字状に交わる部分を目地交わり部４７という。
【００４１】
なお、図示は略するが、外壁部２０において本体外壁部２１と屋根外壁部２２との境界部、及び本体外壁部２１において一階部分１１と二階部分１２との境界部にはそれぞれ、当該境界部を覆い隠す見切り材（例えば化粧胴差し）が取り付けられている。
【００４２】
ここで、外壁部２０には、目地４１〜４５を通じて雨水等の水が屋内側に入り込むのを防止すべく、各目地４１〜４５に対して止水構造が設けられている。そこで以下では、その止水構造について図３〜図７に基づいて説明する。なお、図３は、目地交わり部４７周辺における止水構造を示す斜視図である。図４は、その止水構造を構成する各部材を分解して示す分解斜視図である。図５は、目地交わり部４７周辺を拡大した状態で示す正面図である。なお、図３〜図５に示す部分は図２のＡ部に相当する。また、図６は、（ａ）が図５のＡ−Ａ線断面図であり、（ｂ）がＢ−Ｂ線断面図であり、（ｃ）がＣ−Ｃ線断面図である。図７は、図５のＤ−Ｄ線断面図である。
【００４３】
図３〜図７に示すように、横目地４４を挟んで上下に隣接する外壁パネル２４Ｂ及び外壁パネル２７（パネル部２７ａ）のうち、上側の外壁パネル２７には、そのパネル部２７ａの下端部に防水シート５１が固定されている。防水シート５１は、クロロプレンゴム（ＣＲゴム）等の耐水性を有する材料により形成され、パネル部２７ａの下端部に沿って延びている。防水シート５１は、その上部がパネル部２７ａにおいて外壁材３１と下地フレーム３２（詳しくは、下地フレーム３２の下端に配された横フレーム材３２ａ）との間に挟まれて固定され、その下部がパネル部２７ａの下方に垂れ下がり外壁パネル２４Ｂの外壁材２５の表面に重ねられている。この場合、防水シート５１は、上側の外壁材３１の裏面側と、下側の外壁材２５の表面側とに跨がって配置され、これら両外壁材２５，３１の間（ひいては横目地４４）が防水シート５１により閉塞された状態となっている。これにより、横目地４４を通じて雨水等の水が屋内側に浸入することが防止されている。また、防水シート５１は、横目地４４において、屋内側から屋外側に向けて下方傾斜するように配置されている。
【００４４】
なお、防水シート５１は、ユニット工場にて外壁パネル２７が製造される際、外壁材３１と下地フレーム３２との間に挟まれて固定される。
【００４５】
また、図示は省略するが、本体外壁部２１において横目地４２を挟んで上下に隣接する各外壁パネル２４のうち、上側の外壁パネル２４（二階部分１２の外壁パネル２４）にも、上記同様の防水シートが固定され、その防水シートにより上記同様の構成で横目地４２が閉塞されている。
【００４６】
外壁パネル２４Ａには、各外壁パネル２４Ｂ，２７の側に一部はみ出た状態で防水テープ５２が固定されている。防水テープ５２は、耐水性を有する矩形のシート材からなり、その片面詳しくは片面全域が接着面となっている。また、防水テープ５２は、そのシート材が伸縮変形可能な材料で形成されている。なお、防水テープ５２は、例えば伸縮変形可能なＥＰＤＭ系ゴムシートに、ブチルゴム系粘着剤を積層することで形成される。
【００４７】
防水テープ５２は、外壁パネル２４Ａの外壁材２５及び下地フレーム２６（詳しくは下地フレーム２６の側端部に配された縦フレーム材２６ａ）の間に挟まれて固定されている。防水テープ５２は、外壁パネル２４Ａからはみ出た部分が接着面を利用して防水シート５１の屋外側面に貼り付けられている。防水テープ５２は、その上下方向の長さが、防水シート５１において外壁パネル２７よりも下方に垂れ下がった垂下部５１ａの上下方向の長さと略同じとなっている。そして、防水テープ５２は、その上下方向の全域が垂下部５１ａの同方向全域に跨がるようにして貼り付けられている。これにより、防水シート５１と防水テープ５２とは互いに一体化され、それら一体化された両部材５１，５２により横目地４４と目地交わり部４７とが屋外側からまとめて閉塞されている。また、防水テープ５２は、目地交わり部４７を塞いでいるとともに、その目地交わり部４７の上下の各縦目地４１ａ，４５に跨がって配設されている。
【００４８】
なお、この場合、防水シート５１が第１防水シートに相当し、防水テープ５２が第２防水シートに相当する。また、これら防水シート５１及び防水テープ５２によりシート状の防水手段が構成されている。
【００４９】
横目地４４と交わる各縦目地４１ａ，４５のうち、下側の縦目地４１ａには、２つのガスケット５５，５６（止水シールに相当）が内外二重に設けられている（図６（ｃ）等参照）。これらのガスケット５５，５６のうち、ガスケット５５は、縦目地４１ａを挟んで隣り合う各外壁パネル２４Ａ，２４Ｂにおいて隣接する外壁材２５の間に配置され、ガスケット５６は、隣接する下地フレーム２６（詳しくは縦フレーム材２６ａ）の間に配置されている。これにより、縦目地４１ａを通じて雨水等の水が屋内側に入り込むことが防止されている。
【００５０】
各ガスケット５５，５６は、ＥＰＤＭ等の弾性を有する樹脂材料により長尺状に形成されている。詳しくは、各ガスケット５５，５６は、長手方向に延びる中空部を有しており、その中空部が長手方向の両端にてそれぞれ開口されている。
【００５１】
なお、各ガスケット５５，５６のうち、ガスケット５５が一次ガスケット（一次止水シール）、ガスケット５６が二次ガスケット（二次止水シール）となっている。また、一次止水シールとして、ガスケット５５（定形シール）に代え、シーリング材等からなる不定形シールを用いてもよい。
【００５２】
各ガスケット５５，５６はいずれもその上端が縦目地４１ａ（外壁パネル２４Ｂ）の上端と同じ高さ位置に設定されている。この場合、これら各ガスケット５５，５６は、その上端側が防水テープ５２と壁厚み方向（換言すると縦目地４１ａの奥行き方向）に重複している。各ガスケット５５，５６のうち、屋内側（目地奥側）のガスケット５６は、防水テープ５２と壁厚み方向に重複する部位（以下、重複部位５６ａという）が防水テープ５２を目地奥側に押し込んだ状態で配置されている。この場合、防水テープ５２は、目地奥側に伸ばされた状態で、隣接する下地フレーム２６の間の隙間まで押し込まれている。
【００５３】
ガスケット５６の重複部位５６ａにより防水テープ５２が目地奥側に押し込まれることで、防水テープ５２には、重複部位５６ａよりも上方の部分に、当該重複部位５６ａ（ひいてはガスケット５６）を上方から覆う覆い部５２ａが形成されている。覆い部５２ａは、上側に向かうにつれて屋外側に傾斜しており、ガスケット５６全体を上方から覆っている（図６（ｂ）参照）。
【００５４】
上側の縦目地４５には、不定形シールとしてのシーリング材５７（止水シールに相当）が充填されている（図６（ａ）等参照）。シーリング材５７は、例えばシリコン系材料等からなり、縦目地４５の上下方向全域に亘って設けられている。シーリング材５７は、縦目地４５において隣り合う各外壁パネル２４Ａ，２７の各外壁材２５，３１の間に設けられている。なお、図３及び図４では便宜上、シーリング材５７の図示を省略している。
【００５５】
具体的には、縦目地４５において外壁材２５よりも目地奥側、つまりは隣り合う外壁パネル２４Ａ，２７の隣接する下地フレーム２６及び外壁材３１の間には、シーリング材５７をその目地奥側で受けるバックアップ材５８（シールバッカー）が設けられている。バックアップ材５８は、ゴム材等により長尺状に形成され、縦目地４５においてシーリング材５７の長手方向全域に亘って設けられている。そして、縦目地４５においてバックアップ材５８の手前側（屋外側）の領域にシーリング材５７が充填されている。
【００５６】
シーリング材５７は、外壁パネル２７（縦目地４５）の下端よりも下方に亘るように充填されており、その外壁パネル２７の下方部分５７ａが防水テープ５２の屋外側面に密着されている。また、シーリング材５７の上記下方部分５７ａは、その一部が横目地４４に入り込んでおり、それにより、下方部分５７ａでは、その横方向の長さ（横幅）が縦目地４５の目地幅よりも大きくなっている。これにより、下方部分５７ａと防水テープ５２との密着性が高められている。なお、下方部分５７ａの上下方向の長さは縦目地４５の目地幅と略同じかそれよりも小さくなっている。
【００５７】
また、バックアップ材５８も、シーリング材５７と同様、外壁パネル２７の下端よりも下方に延びている。バックアップ材５８は、外壁パネル２７の下方部分５８ａが防水テープ５２を挟んでシーリング材５７の下方部分５７ａの反対側に配置され、それにより、シーリング材５７及びバックアップ材５８の各下方部分５７ａ，５８ａにより防水テープ５２が挟み込まれた状態となっている。これにより、シーリング材５７の下方部分５７ａと防水テープ５２との密着性が高められている。
【００５８】
次に、上述した目地の止水構造を構築する際の作業手順について説明する。図８は、かかる作業手順を説明するための説明図である。
【００５９】
ユニット工場では、上述したように、各外壁パネル２４，２７，２８が製造され、このうち外壁パネル２７の製造に際しては、防水シート５１が外壁パネル２７（パネル部２７ａ）の下端部に固定される。また、外壁パネル２４Ａの製造に際しては、図８（ａ）に示すように、防水テープ５２が一部外壁パネル２４Ａからはみ出した状態で、外壁材２５と下地フレーム２６との間に挟まれて固定される。
【００６０】
施工現場では、ユニット工場で製造された各建物ユニット１５が設置され、その後、屋根部１４が施工される。その施工後の状態が図８（ｂ）に示されている。現場での止水作業としてはまず、外壁パネル２７に固定された防水シート５１（垂下部５１ａ）が外壁パネル２４Ｂの表面側に配置される。その後、上側の縦目地４５にバックアップ材５８が配設される。
【００６１】
次に、図８（ｃ）に示すように、外壁パネル２４Ａに固定された防水テープ５２のはみ出し部分が防水シート５１に屋外側から貼り付けられる。その後、下側の縦目地４１ａに屋外側からガスケット５５，５６が配設される。この際、奥側のガスケット５６については、その上端側の部位（つまり重複部位５６ａ）で防水テープ５２を目地奥側に押し込みながら縦目地４１ａに配設される。
【００６２】
次に、図８（ｄ）に示すように、上側の縦目地４５にシーリング材５７が充填される。この際、シーリング材５７はシールガンＧ等のツールを用いて充填され、時間の経過に伴い硬化する。以上により、一連の止水作業が完了する。
【００６３】
以上、詳述した本実施形態の構成によれば、以下の優れた効果が得られる。
【００６４】
上下に隣り合う各外壁パネル２４Ｂ，２７に跨がって設けたシート状の防水手段（具体的には、防水シート５１及び防水テープ５２）の一部を各第外壁パネル２４Ｂ，２７よりも外壁パネル２４Ａ側に延出させ、その延出部分を外壁パネル２４Ａの外壁材２５及び下地フレーム２６の間に挟んで固定した。この場合、横目地４４に加えて、その横目地４４と縦目地４１ａ，４５とが交わる目地交わり部４７を防水手段によりまとめて閉塞することができる。また、かかる構成において、各縦目地４１ａ，４５に配設したガスケット５６及びシーリング材５７の端部をそれぞれ防水手段に密着させた。この場合、各縦目地４１ａ，４５に連続させてシーリング材を設け、そのシーリング材（ひいては止水シール）を目地交わり部４７において防水シート５１の端部に密着させる構成と比べて、止水シール（ガスケット５６及びシーリング材５７）と防水手段との密着性を確保し易い。また、密着性を確保し易いため、止水シールを防水手段に密着させる作業、ひいては止水作業を比較的容易に行うことができる。よって、この場合、横目地４４と縦目地４１ａ，４５とが交わる目地交わり部４７において好適に止水性能を確保することができる。
【００６５】
防水手段を、外壁パネル２７に固定された防水シート５１に、外壁パネル２４Ａに固定された防水テープ５２を貼り合わせることで構成した。この場合、ユニット工場において予め外壁パネル２４Ａにおける外壁材２５及び下地フレーム２６の間に防水テープ５２を挟んで固定しておき、施工現場では、その防水テープ５２を防水シート５１に貼り付けることで防水手段を形成できる。このため、防水手段が一のシート材からなる場合と異なり、現場で外壁パネル２４Ａの外壁材２５及び下地フレーム２６を一旦ばらして、これら両者２５，２６間に防水手段の端部を挟み両者２５，２６を再度組み立てるといった面倒な作業をせずに済む。これにより、止水作業を行う上で大いに工数低減を図ることができる。
【００６６】
防水テープ５２を伸縮変形可能に形成した。この場合、横目地４４において屋内側から屋外側に向けて下方傾斜して配置される防水シート５１の傾斜に合わせて防水テープ５２を変形させながら同テープ５２を防水シート５１に貼り合わせることができる。そのため、防水テープ５２を防水シート５１に好適に密着させることができ、止水性能を好適に確保することができる。
【００６７】
縦目地４１ａには、止水シートとしてガスケット５６（定形シールに相当）を配設した（換言すると乾式工法を採用した）ため、容易に止水処理を行うことができる。また、ガスケット５６の上端側を防水テープ５２と壁厚み方向に重複させ、その重複部位５６ａにより防水テープ５２を屋外側から外壁パネル２４Ａの外壁材２５よりも目地奥側に押し込んだ。この場合、防水テープ５２の伸縮性を利用してガスケット５６と防水テープ５２とを密着させることができるため、乾式工法を採用することで止水作業の容易化を図りながらも、好適に止水性能を確保することができる。
【００６８】
重複部位５６ａにより防水テープ５２を目地奥側に押し込むことで、防水テープ５２において重複部位５６ａよりも上方部分に、当該重複部位５６ａ（つまりはガスケット５６）を上方から覆う覆い部５２ａを形成した。この場合、強風時等に雨水等の水がガスケット５６に沿って（例えば、ガスケット５６の中空部内や、各ガスケット５５，５６の隙間を通じて）吹き上げてきた場合でも、その水の勢いを覆い部５２ａにより低減させることができる。そのため、その水が上側の縦目地４５に配設されたシーリング材５７と防水テープ５２との間を通じて屋内側に入り込むといった事態が生じるのを好適に防止することができる。
【００６９】
縦目地４１ａは隣り合う建物ユニット１５の境界部に形成されているため、それら各建物ユニット１５の設置時等に両建物ユニット１５の位置関係にばらつきが生じた場合、縦目地４１ａを挟んで隣接する各外壁パネル２４Ａ、２４Ｂの位置関係（例えば壁厚み方向の位置関係）にもばらつきが生じると考えられる。この点、防水テープ５２を伸縮変形可能に形成したため、各外壁パネル２４Ａ，２４Ｂに位置ばらつきが生じている場合でも、防水テープ５２を伸縮変形させながら防水シート５１に上手く貼り合わせることができる。そのため、防水テープ５２を防水シート５１に好適に密着させることができ、止水性能を好適に確保することができる。
【００７０】
上述したように、縦目地４１ａにおいては止水処理に際し、ガスケット５５，５６による乾式工法を採用したため、止水工数の削減を図ることができるとともに、メンテナンス性にも優れたものとなっている。
【００７１】
また、Ｔ字状の目地交わり部４７を止水するにあたっては、専用の止水役物を目地交わり部５７に配設して止水を図ることも考えられる。しかしながら、そのような止水役物は板金を折り曲げ加工する等して複雑な構成となることが考えられ、コストの増大を招くおそれがある。この点、防水テープ５２により目地交わり部４７の止水処理を行った上記実施形態の構成では、低コストで止水処理を図れるという利点もある。
【００７２】
上側の縦目地４５を挟んで隣接する各外壁パネル２４Ａ，２７のうち一方の外壁パネル２７は出隅部２２ｃを形成する平面視Ｌ字状をなしているため、縦目地４５周辺はいわゆる特殊収まりとなっている。この点、防水テープ５２を用いた上記実施形態の止水構造にでは、かかる特殊収まりの縦目地４５（目地交わり部４７）にも、平部と同じ工法（やり方）で止水処理を行うことが可能であるため、作業管理等の面で好都合である。
【００７３】
本発明は上記実施形態に限らず、例えば次のように実施されてもよい。
【００７４】
・上記実施形態では、防水シート５１（第１防水シート）と防水テープ５２（第２防水シート）とを貼り合わせることでシート状の防水手段を構成したが、かかる防水手段を一のシート材により構成してもよい。この場合、例えば、防水シート５１を各外壁パネル２４Ｂ，２７よりも外壁パネル２４Ａ側に延出させて形成し、その延出した部分を外壁パネル２４Ａの外壁材２５及び下地フレーム２６の間に挟んで固定することが考えられる。この場合にも、防水手段により横目地４４と目地交わり部４７とをまとめて閉塞することが可能となるため、その防水手段に対して縦目地４１ａ，４５に配設される止水シール（例えば不定形シール）を密着させることで目地交わり部４７の止水性能を好適に確保することができる。
【００７５】
・上記実施形態では、各縦目地４１ａ，４５のうち、下側の縦目地４１ａにのみ定形シールとしてのガスケット５６を配設したが、上側の縦目地４５に、シーリング材５７に代えてガスケットを配設するようにしてもよい。その場合、ガスケットの下端部を防水テープ５２と壁厚み方向に重複させ、その重複部位で防水テープ５２を目地奥側に押し込んだ状態でガスケットを縦目地４５に配設すればよい。そうすれば、この場合にも、防水テープ５２の伸縮性を利用してガスケットと防水テープ５２とを好適に密着させることができる。
【００７６】
また、下側の縦目地４１ａに、ガスケット５５，５６に代えて、不定形シールとしてのシーリング材を設けるようにしてもよい。この場合、シーリング材を防水テープ５２に密着させて充填すればよい。かかる場合にも、各縦目地４１ａ，４５に連続させてシーリング材を充填させ、そのシーリング材を防水シート５１の端部に密着させる構成と比べ、シーリング材と防水テープ５２との密着性を確保し易く止水作業も容易に行える。
【００７７】
・上記実施形態では、横目地４４と縦目地４１ａ，４５とが横向きのＴ字状に交わる目地交わり部４７（図２のＡ部内参照）に本発明の止水構造を適用したが、その他の目地交わり部に本発明の止水構造を適用してもよい。例えば、図２のＢ部内に設けられた目地交わり部６２に本発明を適用することが考えられる。
【００７８】
この点について説明すると、図２に示すように、二階部分１２に設けられたバルコニー１６の周縁部には腰壁部６４が設けられている。この腰壁部６４は、複数の腰壁パネル６５（外壁パネルに相当）により構成され、その腰壁パネル６５は外壁材と下地フレームとを有して構成されている。この場合、Ｂ部内では、腰壁パネル６５が、上下に隣接する一階部分１１及び二階部分１２の各外壁パネル２４に横並びで隣接配置されている。これら各外壁パネル２４の間には横目地４２が形成され、これら外壁パネル２４と腰壁パネル６５との間には縦目地６１ａ，６１ｂが形成されている。そして、これら各目地４２，６１ａ，６１ｂが横向きのＴ字状に交わることで目地交わり部６２が形成されている。
【００７９】
したがって、この場合にも、目地交わり部６２に対して上記実施形態と同様の止水処理を施すことが考えられる。すなわち、上下の各外壁パネル２４に跨がって防水シート５１を設けるとともに、腰壁パネル６５には防水テープ５２を固定し、その防水テープ５２を防水シート５１に貼り付ける等することが考えられる。なお、この場合には、上下に隣接する各外壁パネル２４が第１外壁パネルに相当し、腰壁パネル６５が第２外壁パネルに相当する。
【００８０】
・例えば、本発明の止水構造を図９に示す建物の外壁目地に適用してもよい。同図９に示す建物７０は、母屋７１を有し、その屋根部には母屋７１から張り出すようにして下屋７２が設けられている。建物７０において下屋７２の下方は下屋部７３となっている。建物７０の外周部には外壁部が設けられ、その外壁部は外壁材と下地フレーム材とを有してなる複数の外壁パネル７５により構成されている。これら外壁パネル７５には、母屋７１に設けられた外壁パネル７５ａと、下屋７２に設けられた外壁パネル７５ｂと、下屋部７３に設けられた外壁パネル７５ｃとが含まれている。この場合、各外壁パネル７５ｂ，７５ｃ（第１外壁パネルに相当）は上下に隣接配置されており、外壁パネル７５ａ（第２外壁パネルに相当）は上記各外壁パネル７５ｂ，７５ｃにそれぞれ横並びで隣接配置されている。かかる構成では、上下に隣接する外壁パネル７５ｂ，７５ｃ間に横目地７６が形成され、それら各外壁パネル７５ｂ，７５ｃと外壁パネル７５ａとの間に縦目地７７ａ，７７ｂが形成されている。そして、図９のＣ部では、これら各目地７６，７７ａ，７７ｂが横向きのＴ字状に交わることで目地交わり部７８が形成されている。このような構成においても、その目地交わり部７８に対して、防水シート５１と防水テープ５２と有してなる本発明の止水構造を適用することが可能である。
【００８１】
・上記実施形態では、目地交わり部４７で交わる各目地４１ａ，４４，４５のうち、縦目地４１ａについては隣り合う建物ユニット１５の境界部（ユニット境界部）に形成されていたが、目地交わり部で交わる各目地のいずれもがユニット境界部以外に存在している場合において、本発明の止水構造を適用してもよい。
【００８２】
・上記実施形態では、ユニット式建物への適用例を説明したが、鉄骨軸組工法により構築される建物等、他の構造の建物にも本発明を適用できる。要するに、複数の外壁パネルにより横目地と縦目地とが横向きにＴ字状をなすように交わる目地交わり部が存在する外壁であれば、本発明の止水構造を適用することができる。
【符号の説明】
【００８３】
１０…建物、１５…建物ユニット、２０…建物外壁としての外壁部、２４Ａ…第２外壁パネルとしての外壁パネル、２４Ｂ…下側の第１外壁パネルとしての外壁パネル、２５…外壁材、２６…下地フレーム、２７…上側の第１外壁パネルとしての外壁パネル、３１…外壁材、３２…下地フレーム、４１ａ…縦目地、４４…横目地、４５…縦目地、４７…目地交わり部、５１…第１防水シートとしての防水シート、５２…第２防水シートとしての防水テープ、５２ａ…覆い部、５５…止水シールとしてのガスケット、５６…止水シール及び定形シールとしてのガスケット、５６ａ…重複部位、５７…止水シールとしてのシーリング材。
【図１】
2018053471.tif 000003
【図２】
2018053471.tif 000004
【図３】
2018053471.tif 000005
【図４】
2018053471.tif 000006
【図５】
2018053471.tif 000007
【図６】
2018053471.tif 000008
【図７】
2018053471.tif 000009
【図８】
2018053471.tif 000010
【図９】
2018053471.tif 000011